(57)【特許請求の範囲】
【請求項１】
写真フィルムの画像コマを感光材料に露光するために前記画像コマを所定の位置に位置決めする位置決め手段と、
前記位置決めされる前記画像コマに対応するコマ番号を検索するコマ番号検索手段とを備え、
前記コマ番号検索手段は、前記画像コマの中央に最も近い第１コマ番号と、前記中央から２番目に近い第２コマ番号の検索を行なうことができるように構成されており、
前記第１コマ番号と前記第２コマ番号のいずれかの指定がされておれば、前記画像コマの露光を行なうことを特徴とする写真処理装置。
【請求項２】
前記コマ番号検索手段は、最初に前記第１コマ番号の検索を行ない、前記第１コマ番号の指定がない場合に前記第２コマ番号の検索を行なうことを特徴とする請求項１に記載の写真処理装置。
【請求項３】
写真フィルムの画像コマを感光材料に露光するために前記画像コマを所定の位置に位置決めする位置決め手段ステップと、
前記位置決めされる前記画像コマに対応するコマ番号であって、前記画像コマの中央に最も近い第１コマ番号と、前記中央から２番目に近い第２コマ番号の検索を行なうことができるステップと、
前記第１コマ番号と前記第２コマ番号のいずれかの指定がされておれば、前記画像コマの露光を行なうステップとを有することを特徴とする写真処理方法。
【請求項４】
前記コマ番号を検索するステップは、最初に前記第１コマ番号の検索を行ない、前記第１コマ番号の指定がない場合に前記第２コマ番号の検索を行なうことを特徴とする請求項３に記載の写真処理方法。
【発明の詳細な説明】
【０００１】
【発明の属する技術分野】
本発明は、写真フィルムの画像コマを感光材料に露光するために前記画像コマを所定の位置に位置決めする位置決め手段と、前記位置決めされる前記画像コマに対応するコマ番号を検索するコマ番号検索手段とを備えた写真処理装置及び写真処理方法に関するものである。
【０００２】
【従来の技術】
写真店では現像済みのネガフィルム（写真フィルムに相当する。）から焼き増し処理の注文を受けることがよくある。その注文を受ける場合の、焼き増し対象のコマの指定の仕方に関して説明する。
図３は、現像済みの長尺状のネガフィルム１の外観を示す。このネガフィルム１は１３５タイプと呼ばれているものであり、その中央部には現像された画像コマ１ａが所定間隔で配置されており、画像コマ１ａの幅方向の外側には送り用のパーフォレーション１ｂが形成され、さらにその幅方向の外側には画像コマ１ａに対応したコマ番号１ｃ，１ｄが形成されている。この図３に示される画像コマ１ａはフルサイズの大きさを有しており、１つの画像コマ１ａに対して画像コマ１ａの中央に近い側の第１コマ番号１ｃと中央から遠い側の第２コマ番号１ｄとが割り当てられている。
【０００３】
また、第１コマ番号１ｃを読み取るための第１バーコード１ｅと、第２コマ番号１ｄを検出するための第２バーコード１ｆも形成されている。これら、第１、第２コマ番号１ｃ，１ｄと、第１、第２バーコード１ｅ，１ｆは、ネガフィルム１の製造工程においてあらかじめ潜像として形成されているものである。このように、１つのフルサイズの画像コマ１ａに関して２つのコマ番号が割り当てられているのは、同じネガフィルム１によりハーフサイズの画像コマも撮影できるようになっているからである。ハーフサイズの画像コマの場合は、１つの画像コマに対してただ１つのコマ番号が割り当てられることになる。
【０００４】
ところで、写真店が顧客から焼き増し注文を受ける場合には、顧客に焼き増しを要望する画像コマに対応しているコマ番号を指定してもらうことになる。
【０００５】
【発明が解決しようとする課題】
しかしながら、上記したようにフルサイズの画像コマ１ａの場合は、１つの画像コマ１ａに対して２つのコマ番号１ｃ，１ｄが対応しているために、顧客がいずれのコマ番号１ｃ，１ｄを指定してくるかは不明である。
【０００６】
一方、焼き増し注文を受けた写真店では、指定されたいずれか一方のコマ番号１ｃ，１ｄをキーボード等の手段により写真処理装置本体内に入力して、所定の焼き増し処理を行うようにしている。
【０００７】
しかしながら、写真処理装置の方では、２つあるコマ番号のうち画像コマの中央に近い方の第１コマ番号と画像コマとを一対一で対応付けるようにしているため、仮に顧客から指定されたコマ番号が画像コマの中央から遠い方の第２コマ番号であって、その第２コマ番号が写真焼付装置本体内に入力された場合には、焼き増し処理ができないという不具合があった。
【０００８】
図３（ａ）に示すように、画像コマ１ａと各コマ番号１ｃ，１ｄの相対的な位置関係が、第１コマ番号１ｃは画像コマ１ａのほぼ中央に近い位置にあるような場合は、当該第１コマ番号１ｃが指定される確率が高いが、図３（ｂ）に示すように、各コマ番号１ｃ，１ｄのいずれもが画像コマ１ａの中央から外れた位置になってしまっているような場合には、必ずしも中央に近い方の第１コマ番号１ｃが指定されるとは限らず、焼き増し処理ができないという事態が発生しやすい。
【０００９】
本発明は上記実情に鑑みてなされたものであり、その目的は、画像コマの中央に近い方と遠い方のいずれのコマ番号が指定されたとしても確実に焼き増し処理の行うことのできる写真処理装置及び写真処理方法を提供することである。
【００１０】
【課題を解決するための手段】
上記目的を達成するため本発明に係る写真処理装置は、
写真フィルムの画像コマを感光材料に露光するために前記画像コマを所定の位置に位置決めする位置決め手段と、
前記位置決めされる前記画像コマに対応するコマ番号を検索するコマ番号検索手段とを備え、
前記コマ番号検索手段は、前記画像コマの中央に最も近い第１コマ番号と、前記中央から２番目に近い第２コマ番号の検索を行なうことができるように構成されており、
前記第１コマ番号と前記第２コマ番号のいずれかの指定がされておれば、前記画像コマの露光を行なうことを特徴とするものである。
【００１１】
この構成による作用・効果は以下の通りである。
（１）写真フィルムの画像コマを感光材料に露光するために、位置決め手段により画像コマを所定の位置に位置決めする。
（２）この位置決めされる画像コマのコマ番号をコマ番号検索手段により検索する。検索する時点は、画像コマを位置決めしたあとでも良いし、位置決めする前であっても良い。
【００１２】
（３）コマ番号の検索は、画像コマの中央に近い第１コマ番号と、中央から遠い第２コマ番号に関して検索する。
（４）検索した第１、第２コマ番号のいずれかが指定されておれば、その画像コマについては焼き増し処理をすべきと判断する。焼き増し処理を行う場合は、その画像コマを感光材料に露光する。
【００１３】
以上のように、コマ番号検索手段は１つの画像コマに対して第１、第２コマ番号の両方を検索することができる。したがって、顧客がいずれのコマ番号を指定していたとしても焼き増しに対応することが可能である。その結果、画像コマの中央に近い方と遠い方のいずれのコマ番号が指定されたとしても確実に焼き増し処理の行うことのできる写真処理装置を提供することができた。
【００１４】
本発明の好適な実施形態として、前記コマ番号検索手段は、最初に前記第１コマ番号の検索を行ない、前記第１コマ番号の指定がない場合に前記第２コマ番号の検索を行なうものがあげられる。
通常は画像コマの中央に近い第１コマ番号が指定されている確率が高いから、まず第１コマ番号の検索を行なうことにより焼き増しの処理効率を高めることができる。
【００１５】
本発明の目的を達成するための本発明にかかる写真処理方法は、
写真フィルムの画像コマを感光材料に露光するために前記画像コマを所定の位置に位置決めする位置決め手段ステップと、
前記位置決めされる前記画像コマに対応するコマ番号であって、前記画像コマの中央に最も近い第１コマ番号と、前記中央から２番目に近い第２コマ番号の検索を行なうことができるステップと、
前記第１コマ番号と前記第２コマ番号のいずれかの指定がされておれば、前記画像コマの露光を行なうステップとを有することを特徴とするものである。
【００１６】
この構成による作用は、上記（１）〜（４）の通りであり、その結果、画像コマの中央に近い方と遠い方のいずれのコマ番号が指定されたとしても確実に焼き増し処理の行うことのできる写真処理方法を提供することができた。
【００１７】
本発明の好適な実施形態として、前記コマ番号を検索するステップは、最初に前記第１コマ番号の検索を行ない、前記第１コマ番号の指定がない場合に前記第２コマ番号の検索を行なうものがあげられる。
【００１８】
通常は画像コマの中央に近い第１コマ番号が指定されている確率が高いから、まず第１コマ番号の検索を行なうことにより焼き増しの処理効率を高めることができる。
【００１９】
【発明の実施の形態】
本発明の好適な実施形態を図面を用いて説明する。図１は、本発明による写真処理装置の構成を示す図である。この写真処理装置は、大きく分けてネガフィルムの画像コマをペーパー３に投影露光するプリント部Ｐ１と、露光済みのペーパー３の現像処理等を行うプロセッサー部Ｐ２とを備えている。
【００２０】
プリント部Ｐ１には、光源１１、ネガフィルムに照射する光の色バランスを調整する調光フィルタ１２、調光フィルタ１２を通過した光を均一に混色するミラートンネル１３、ネガフィルムの画像コマをペーパー３上に結像させるズームレンズ式の焼付レンズを搭載したユニット１４、シャッタ１５、及びフィルム搬送経路にネガキャリア２０が露光光路（処理光路に相当する。）をなす同一光軸上に設けられている。図１には示されていないが、ユニット１４を露光光軸に対して直交方向に移動させることにより、スキャナーによりネガフィルムの画像コマを読み取らせることができる。
【００２１】
ペーパー３はペーパーマガジン３ａに収納されており、ペーパーマガジン３ａから引き出されたペーパー３は、ローラ８２にて搬送された後に、カッター８１でプリントの大きさにカットされる。露光台８３の所定位置にカットされたペーパー３が送られると、ネガフィルムの画像コマが露光される。露光済みのペーパー３は、ローラ８２によりプロセッサー部Ｐ２に送られて、現像処理部８４、乾燥処理部８５を通過すると排出部８６から仕上がりプリントとして排出される。
【００２２】
＜ネガキャリアの構成＞
図２は、ネガフィルム１の処理経路を示しており、ネガフィルム１を挿入するためのフィルム挿入部Ｓと、ネガフィルム１の搬送経路Ｈと、巻き取り機構Ｒを備えている。なお、巻き取り機構Ｒはなくても良い。ネガフィルム１の形状等についてはすでに図３にて説明した通りである。
【００２３】
搬送経路Ｈには、ネガフィルム１を搬送するための搬送機構として機能する、駆動ローラ３０ａ，３１ａ，３２ａと、圧着ローラ３０ｂ，３１ｂ，３２ｂと、駆動ローラ３０ａ，３１ａ，３２ａを駆動するためのステッピングモータ（不図示）を備えている。また、搬送経路Ｈに沿って、ネガフィルム１に形成された第１、第２バーコード１ｅ，１ｆを読み取るためのバーコードセンサー３３と、画像コマ１ａのエッジを検出するための画面検出センサー３４とが設けられている。画面検出センサー３４の出力に基づいて、開口部Ｋに画像コマ１ａを位置決めする。開口部Ｋの中心は、図１で説明した露光光路の中心と一致する。
【００２４】
＜制御ブロック＞
次に制御ブロックに関して図２により説明する。制御装置２１は、写真処理装置の各部の制御を行なう部分であるが、図２にはネガキャリア２０の搬送制御に関する部分のみを示している。コマ番号指定部２４は、焼き増し処理すべきネガフィルム１のコマ番号を指定（入力）するものであり、例えば、写真処理装置本体に設けられているキーボード（不図示）が該当する。露光制御部２２は、ペーパー３に対するネガフィルム１の露光処理を指令する。
【００２５】
コマエッジ検出部２１ａは、画面検出センサー３４から得られる信号に基づいて画像コマのエッジ（フルサイズの画像の短辺部）を検出する。コマ番号検出部２１ｂは、バーコードセンサー３３から得られる信号に基づいてコマ番号１ｃ，１ｄを検出する。また、コマエッジ検出部２１ａの検出結果に基づいて、画像コマ１ａの中央に近い第１コマ番号１ｃと中央から遠い第２コマ番号１ｄとに分けて検出する。コマ番号検索手段２１ｃは、位置決めされている画像コマ１ａについて焼き増し処理を行うことが指定されているかどうかを検索する。
【００２６】
＜焼き増しの手順＞
図３でも説明したように、画像コマ１ａとコマ番号１ｃ，１ｄとの相対位置関係は必ずしも決まっておらず、図３（ａ）では１番左側の画像コマ１ａの中央に近い方の第１コマ番号１ｃは『１０』であり、画像コマ１ａの中央から遠い方の第２コマ番号１ｄは『１０Ａ』である。一方、図３（ｂ）では、中央に近い方の第１コマ番号１ｃは『１０Ａ』であり、中央から遠い方の第２コマ番号１ｄは『１０』である。いずれのコマ番号１ｃ，１ｄが指定されたとしても、画像コマの焼き増し処理を可能にする必要がある。なお、各コマ番号１ｃ，１ｄは等間隔（１８ｍｍピッチ）で記録されている。
【００２７】
図４は、焼き増し処理を行う時のフローチャートを示す図である。
まずネガキャリア２０のフィルム挿入部Ｓにネガフィルム１をセットする（＃０１）。ここでセットされるネガフィルム１は、６コマ単位又は４コマ単位にカットされたものでありピースネガと呼ばれることもある。また、あらかじめ焼き増し処理の対象となる画像コマ１ａのコマ番号１ｃ，１ｄを入力しておく。入力するのは、第１コマ番号１ｃと第２コマ番号１ｄのいずれを入力しても良い。
【００２８】
ネガフィルム１は、駆動ローラ３０ａ，３１ａ，３２ａと圧着ローラ３０ｂ，３１ｂ，３２ｂにより搬送経路に沿って搬送されながら（＃０２）、バーコードセンサー３３により第１バーコード１ｅと第２バーコード１ｆの情報が読み取られ、第１コマ番号１ｃと第２コマ番号１ｄとを検出する（＃０３）。また、画面検出センサー３４によりコマエッジを検出しており、この情報は開口部Ｋに画像コマ１ａを位置決めさせるための情報として用いられると共に、読みとられたコマ番号１ｃ，１ｄのうちいずれが画像コマ１ａの中央に近い情報であるかを決定するためにも用いられる。すなわち、求められたコマエッジから画像コマ１ａの中央に近い方のコマ番号を第１コマ番号１ｃとして決定し、中央から遠い方のコマ番号を第２コマ番号１ｄとして決定する。
【００２９】
次に画像コマ１ａを開口部Ｋに位置決めして、画像コマ１ａのスキャニングを行なう（＃０４）。位置決めは、駆動ローラ３０ａ，３１ａ，３２ａを駆動するパルスモータ（不図示）と検出されるコマエッジ等に基づいて行なわれるものであり、これらパルスモータや画面検出センサー３４等は位置決め手段として機能する。スキャニングされた画像コマ１ａは不図示のモニタ−に映し出され、オペレータは必要であれば適切なプリントが得られるように、色・濃度の補正をおこなう。スキャニングの終了後、１ピース分（ネガフィルム１の１本分）の処理が終了したか否かを判定し（＃０５）、終了していなければステップ＃０２に戻り同様の処理を繰り返す。
【００３０】
１ピース分の処理が終了すると、一旦、ネガフィルム１を元の位置にまで矢印Ｂ方向に巻き戻し（＃０６）、再びネガフィルム１を再び送り方向（矢印Ａ方向）に搬送させる（＃０７）。次に、画像コマ１ａを開口部Ｋに位置決めする（＃０８）。ここで、第１コマ番号１ｃの指定があるか否かを判定する（＃０９）。指定があれば、この画像コマ１ａは焼き増し処理を行なうべきものであり、所定の手順によりペーパー３に対して画像コマ１ａの露光を行なう（＃１１）。ステップ＃０９にて、第１コマ番号１ｃの指定がない場合には、第２コマ番号１ｄの指定があるか否かを判定する（＃１０）。指定があれば、同様にステップ＃１１に移行し焼き増し処理を行う。このように、第１コマ番号１ｃ又は第２コマ番号１ｄの指定がなされていれば、必ず焼き増しを行なうことができるように構成されている。
【００３１】
ステップ＃１０にて、第２コマ番号１ｄの指定もされていない場合には、焼き増しは行わなくて良いので次のステップに進み、１ピース分の処理が終了したか否かを判定する（＃１２）。終了していなければステップ＃０７に戻り同様の手順を繰り返す。終了しておれば、そのネガフィルム１についての焼き増し処理は終了したことになるので、ネガキャリア２０からネガフィルム１を排出させるように動作させる。
【００３２】
＜別実施形態＞
（１）図４に示すフローチャートは、あくまでも１例であって種々の変形が可能である。例えば、図２の矢印Ａ方向で画像コマ１ａのスキャニングを行ない、その後ネガフィルム１の戻し方向（Ｂ方向）で画像コマ１ａの露光を行なっても良い。また、ステップ＃４のスキャニング処理において、その画像コマ１ａの指定がない場合は、スキャニングを行なわないで、その次の画像コマ１ａの処理に直ちに移行するようにすると処理時間が短縮され好ましい。
【００３３】
（２）処理される写真フィルムは、ネガフィルムではなくポジフィルムであっても良い。
【図面の簡単な説明】
【図１】現像済みのネガフィルムの外観を示す図
【図２】ネガキャリアの搬送経路における概略構成を示す図
【図３】ネガフィルムを示す図
【図４】焼き増し処理を行う時のフローチャートを示す図
【符号の説明】
１      ネガフィルム
１ａ    画像コマ
１ｃ    第１コマ番号
１ｄ    第２コマ番号
１ｅ    第１バーコード
１ｆ    第２バーコード
３      ペーパー（感光材料）
２１    制御装置
２１ａ  コマエッジ検出部
２１ｂ  コマ番号検出部
２１ｃ  コマ番号検索手段
２４    コマ番号指定部
【図１】
0004484003.tif 000002
【図２】
0004484003.tif 000003
【図３】
0004484003.tif 000004
【図４】
0004484003.tif 000005